(57)【要約】      （修正有）【課題】５ポール以上のＭＣＦ型の圧電共振器を簡易に提供する。【解決手段】圧電共振器１０は、ＭＣＦ素子部１１ｘを容器に実装して構成した２ポール以上の第１のＭＣＦ１１と、カップリングコンデンサ１５と、第１のＭＣＦにカップリングコンデンサ１５を介し縦続接続され、第１のＭＣＦとは別の容器にＭＣＦ素子部１３ｘを実装して構成した３ポール以上の第２のＭＣＦ１３と、を具える。第１のＭＣＦ及び第２のＭＣＦ各々は、セラミックパッケージを用いて構成された表面実装型のＭＣＦである。【選択図】図１
2019054343.tif 000002
【特許請求の範囲】
【請求項１】
ＭＣＦ素子部を容器に実装して構成した２ポール以上の第１のＭＣＦと、前記第１のＭＣＦにカップリングコンデンサを介し縦続接続され、前記第１のＭＣＦとは別の容器にＭＣＦ素子部を実装して構成した３ポール以上の第２のＭＣＦと、当該カップリングコンデンサと、を具えることを特徴とする圧電共振器。
【請求項２】
前記第１のＭＣＦ及び第２のＭＣＦ各々は、セラミックパッケージを用いて構成された表面実装型のＭＣＦであることを特徴とする請求項１に記載の圧電共振器。
【発明の詳細な説明】
【技術分野】
【０００１】
本発明は、５ポール以上のポール数を持つメカニカルクリスタルフィルタ（ＭＣＦ）に関する。
【背景技術】
【０００２】
各種の電子機器では、周波数の選択のために、圧電共振器が多用されている。その１種であるＭＣＦは、圧電基板に複数の共振部（以下、ＭＣＦ素子部）を設けることで複数のポールを持つフィルタを実現できるため、小型・軽量等の特徴を持つ。
特許文献１には、２ポールのＭＣＦ、および３ポールのＭＣＦが開示されている。また、特許文献２には、１つのパッケージ内に２つの２ポールのＭＣＦ素子部を実装しかつこれらを縦続接続した構成の４ポールのＭＣＦが開示されている。また、特許文献３には、１つの水晶片に３ポールのＭＣＦ素子部を２つ形成し、これらを縦続接続した構成の６ポールのＭＣＦが開示されている。
【先行技術文献】
【特許文献】
【０００３】
【特許文献１】特開２００５−２６９２４１号公報
【特許文献２】特開２００９−１３０９０２号公報
【特許文献３】特開２００５−２５２７４６号公報
【発明の概要】
【発明が解決しようとする課題】
【０００４】
しかしながら、１枚の圧電基板を用いて５ポール以上ＭＣＦを構成すること、及び、１パッケージ内に複数のＭＣＦ素子部を実装しこれらを用いて５ポール以上ＭＣＦを構成することは、設計が大変であり困難が伴う。
この出願はこのような点に鑑みなされたものであり、従って、この出願の目的は、簡易な構成で５ポール以上のＭＣＦ型の圧電共振器を提供することにある。
【課題を解決するための手段】
【０００５】
この目的の達成を図るため、この発明の圧電共振器によれば、ＭＣＦ素子部を容器に実装して構成した２ポール以上の第１のＭＣＦと、前記第１のＭＣＦにカップリングコンデンサを介し縦続接続され、前記第１のＭＣＦとは別の容器にＭＣＦ素子部を実装して構成した３ポール以上の第２のＭＣＦと、当該カップリングコンデンサと、を具えることを特徴とする。
また、必要に応じ、前記第２のＭＣＦに第２のカップリングコンデンサを介し縦続接続され、前記第１及び第２のＭＣＦとは別の容器にＭＣＦ素子部を実装して構成した２ポール以上の第３のＭＣＦと、当該第２のカップリングコンデンサとをさらに具えても良い。
【発明の効果】
【０００６】
この発明によれば、特性が確保された第１のＭＣＦおよび第２のＭＣＦにより５ポール以上のＭＣＦを構成することができる。また、第１のＭＣＦおよび第２のＭＣＦは、完成したＭＣＦ群の中から、相互の整合性に好ましい特性を持つＭＣＦを選択して組み合わせて用いることができる。従って、簡易に所望の特性の５ポール以上のＭＣＦを実現できる。
【図面の簡単な説明】
【０００７】
【図１】（Ａ）、（Ｂ）、（Ｃ）は、実施形態の圧電共振器１０の説明図である。
【図２】（Ａ）、（Ｂ）、（Ｃ）は、他の実施形態の説明図である。
【図３】（Ａ）、（Ｂ）は、さらに他の実施形態の説明図である。
【発明を実施するための形態】
【０００８】
以下、図面を参照してこの発明の実施形態について説明する。なお、説明に用いる各図はこれら発明を理解できる程度に概略的に示してあるにすぎない。また、説明に用いる各図において、同様な構成成分については同一の番号を付して示し、その説明を省略する場合もある。また、以下の実施形態中で述べる形状、寸法、材質等はこの発明の範囲内の好適例に過ぎない。従って、本発明は以下の実施形態のみに限定されるものではない。
【０００９】
１． 第１の実施形態
図１は、第１の実施形態の圧電共振器１０を説明する図である。特に、図１（Ａ）は圧電共振器１０の平面図、図１（Ｂ）は圧電共振器１０の側面図、（Ｃ）図は圧電共振器１０の等価回路図である。
この圧電共振器１０は、第１のＭＣＦ１１と、第２のＭＣＦ１３と、これらを接続するカップリングコンデンサ１５と、これらを実装している配線基板１７と、を具える。
この場合、第１のＭＣＦ１１は２ポールのＭＣＦであり、第２のＭＣＦ１３は３ポールのＭＣＦである。これら第１及び第２のＭＣＦ各々は、セラミックパッケージを容器としていて、かつ、それぞれが独立していて、かつ、それぞれが完成しているＭＣＦである。具体的には、これら第１及び第２のＭＣＦ各々は、セラミックパッケージ内にＭＣＦ素子部（図１（Ｃ）に１１ｘ、１３ｘを付した等価回路のシンボルで示すもの）を実装し、このパッケージを、例えば、シーム封止により封止した構造の表面実装型のＭＣＦである。
【００１０】
なお、これら第１及び第２のＭＣＦにおける２ポールのＭＣＦ素子部、３ポールのＭＣＦ素子部は、例えば、水晶片とその表裏に設けた所定の電極とを具えるＭＣＦ用の素子であり、例えば特許文献１に開示された構造の素子で構成できる。
また、カップリングコンデンサ１５は、圧電共振器１０の特性を考慮して選択されて実装されるものである。なお、図ではカップリングコンデンサ１５を１個として示してあるが、この個数は設計に応じて選択できる。
また、配線基板１７は所定の配線パターンを具えた、例えばエポキシ基板である。
この第１の実施形態によれば、各々が実績のある完成された２ポールのＭＣＦ及び３ポールのＭＣＦを縦続接続したことで、５ポールのＭＣＦを実現できる。
【００１１】
２．他の実施形態
図２（Ａ）〜（Ｃ）及び図３（Ａ）、（Ｂ）は他の実施形態の説明図である。
先ず、図２（Ａ）に示した圧電共振器１０ａは、第１のＭＣＦとしての３ポールのＭＣＦ１１ａと、これにカップリングコンデンサ１５を介して縦続接続されている第２のＭＣＦとしての３ポールのＭＣＦ１３ａとを具える６ポールのＭＣＦである。
図２（Ｂ）に示した圧電共振器１０ｂは、第１のＭＣＦとしての３ポールのＭＣＦ１１ｂと、これにカップリングコンデンサ１５を介して縦続接続されている第２のＭＣＦとしての４ポールのＭＣＦ１３ｂとを具える７ポールのＭＣＦである。
図２（Ｃ）に示した圧電共振器１０ｃは、第１のＭＣＦとしての４ポールのＭＣＦ１１ｃと、これにカップリングコンデンサ１５を介して縦続接続されている第２のＭＣＦとしての４ポールのＭＣＦ１３ｃとを具える８ポールのＭＣＦである。
上記のように、この発明によれば、６ポール、７ポール、８ポールのＭＣＦを簡易に構成できる。なお、４ポールのＭＣＦ素子部は、例えば、水晶片とその表裏に設けた所定の電極とを具えるＭＣＦ用の素子であり、例えば特許文献２に開示された構造の素子で構成できる。
【００１２】
また、図３（Ａ）、（Ｂ）に示した圧電共振器１０ｄは、第１のＭＣＦ１１と第２のＭＣＦ１３とを、これら間に配線基板１７ｂを介して積層した構造のものである。下層の配線基板１７ａを、他の電子機器等に接続することにより、圧電共振器１０ｄを他の電子機器に実装できる。
この圧電共振器１０ｄの場合、第１及び第２のＭＣＦを縦積みしたので、５ポール以上のＭＣＦであって、上述の圧電共振器１０，１０ａ〜１０ｃに比べ、配線基板上の実装面積（平面積）が少なくて済む。
上述においては、８ポールのＭＣＦまでの例を示したが、９ポール以上とすることも可能である。すなわち、第１及び第２のＭＣＦとは別の２ポール以上の第３のＭＣＦであって、セラミックパッケージを容器として用いた第３のＭＣＦをさらに縦続接続して、さらに高次のポールのＭＣＦを構成しても良い。
【符号の説明】
【００１３】
１０、１０ａ、１０ｂ、１０ｃ、１０ｄ：実施形態の圧電共振器、
１１、１１ａ、１１ｂ、１１ｃ:第１のＭＣＦ
１１ｘ、１３ｘ：ＭＣＦ素子部
１３、１３ａ、１３ｂ、１３ｃ：第２のＭＣＦ、
１５：カップリングコンデンサ
１７、１７ａ、１７ｂ：配線基板
【図１】
2019054343.tif 000003
【図２】
2019054343.tif 000004
【図３】
2019054343.tif 000005